(57)【特許請求の範囲】
【請求項１】
被検者を載置する検診台の天板の上下動を許可する許可手段と、前記許可手段により上下動が許可された状態で前記天板を上下動させる操作を行う操作手段と、Ｘ線管およびＸ線受光部を両端に対向して保持する保持装置についての複数の位置情報を記憶する記憶手段と、前記記憶手段に記憶された複数の位置情報から任意の１個を指定する位置情報指定手段と、前記保持装置が前記位置情報指定手段により指定された配置になるように動作の実行を指示する保持装置動作実行指示手段を備えたＸ線透視撮影装置において、前記保持装置動作実行指示手段が前記許可手段の機能も兼ねるように構成されることを特徴とするＸ線透視撮影装置。
【発明の詳細な説明】
【技術分野】
【０００１】
本発明はＸ線透視撮影装置に関する。
【背景技術】
【０００２】
Ｘ線透視撮影装置を用いて血管造影検査を行う様子を図２に示す。術者１５は透視および撮影を行うとき、検診台５の天板１６上に被検者４を載置し、例えば天板１６の側面に取り付けられた操作部１７を操作して天板１６を移動させ、さらにＸ線管１および、例えばフラットパネル型検出器により構成されるＸ線受光部２をそれぞれ両端に対向して取り付けたＣアーム３を回転、または移動させて、被検者４の撮影部位を撮影に適した位置に配置する。そのため天板１６は矢印５ａで示すように水平動可能に、また矢印５ｂで示すように上下動可能に検診台５により保持されており、Ｃアーム３は例えば天井から懸垂されたアーム保持部（図示しない）により、Ｘ線管１およびＸ線受光部２が矢印３ｃで示すように被検者４の体軸周りに回転可能に、さらに矢印３ｂで示すように体軸を含む面上を回転可能に保持され、さらにアーム保持部は天井に取り付けられたレール（図示しない）等により、Ｃアーム３とともに矢印３ａで示すように水平動可能に保持されている。
【０００３】
図５は操作部１７について本発明に関係する部分を示す図である。ここで操作部１７の筐体１３には、例えばマイクロコンピュータやメモリ等により構成される制御部（図示しない）が内蔵されており、メモリスイッチ２０を構成する複数個のスイッチのそれぞれに対応してＣアーム３を配置する位置情報が記憶されている。さらに図２も含めて説明すると、術者１５はＣアーム３を撮影に適した位置および角度に配置するとき、メモリスイッチ２０を構成する複数個のスイッチの中から希望する位置情報に対応するスイッチを選択指定する。これにより制御部に記憶された位置情報のうち希望するものを選ばれ、その後筐体１３に取り付けられたグリップ１１の上面に設けられたメモリ実行スイッチ２１を押すと、Ｃアーム３が所望の位置および角度になるように移動および回転を行うので、術者１５はＣアーム３が所望の位置および角度に配置された後、メモリ実行スイッチ２１を押すのをやめる。同様の機能を有する操作部は例えば特許文献１等に記載されている。
【０００４】
またグリップ１１は筐体１３に遠い側を矢印Ａで示すように上げ下げ可能に筐体１３に取り付けられており、術者１５はグリップ１１の上面に設けられた天板上下動許可スイッチ２２を押した状態で、グリップ１１を上げ下げすることにより天板１６の上下動を行うことができる。すなわち天板１６は天板上下動許可スイッチ２２が押された状態でグリップ１１が中立位置より上に持ち上げられると上昇し、下に押し下げられると下降し、中立位置に置かれると停止するが、天板上下動許可スイッチ２２が押されていないときグリップ１１を上げ下げしても上下動を行わない。
【特許文献１】特開平８−１５０１３７号公報
【発明の開示】
【発明が解決しようとする課題】
【０００５】
Ｘ線透視撮影装置を用いて血管造影検査を行うときの撮影位置決めの方法は例えば上記のようなものであるが、この方法では術者１５はＣアーム３が所望の位置および角度に配置されるまでメモリ実行スイッチ２１を押しつづけなければならないため、同時に天板上下動許可スイッチ２２も押し、かつグリップ１１を上げ下げすることは困難で、その結果Ｃアーム３と天板１６を同時に動かすことが困難で、順次動かさざるを得なかった。このことは検査を迅速に行う妨げになっている。本発明はこの問題を解決するためのものである。
【課題を解決するための手段】
【０００６】
請求項１記載の発明は上記の目的を達成するために、被検者を載置する検診台の天板の上下動を許可する許可手段と、前記許可手段により上下動が許可された状態で前記天板を上下動させる操作を行う操作手段と、Ｘ線管およびＸ線受光部を両端に対向して保持する保持装置についての複数の位置情報を記憶する記憶手段と、前記記憶手段に記憶された複数の位置情報から任意の１個を指定する位置情報指定手段と、前記保持装置が前記位置情報指定手段により指定された配置になるように動作の実行を指示する保持装置動作実行指示手段を備えたＸ線透視撮影装置において、前記保持装置動作実行指示手段が前記許可手段の機能も兼ねるように構成されるＸ線透視撮影装置である。
【発明の効果】
【０００７】
本発明によりメモリ実行スイッチが従来の天板上下動許可スイッチの機能も兼ねることになるので、メモリスイッチのうち適当なスイッチを指定した後、メモリ実行スイッチを押しながらグリップを上げ下げすることにより、Ｃアームと天板を同時に動かすことが可能になり、撮影位置決めに要する時間が短縮され、検査を迅速に行うことができるようになる。
【発明を実施するための最良の形態】
【０００８】
本発明の最良の形態を図１〜図４により説明する。透視および撮影を行うとき、術者１５は検診台５の天板１６上に被検者４を載置して、例えば天板１６の側面に取り付けられた操作部１８を操作して、天板１６を移動させ、さらにＸ線管１および、例えばフラットパネル型検出器により構成されるＸ線受光部２をそれぞれ両端に対向して取り付けたＣアーム３を回転、または移動させて、被検者４の撮影部位を撮影に適した位置に配置する。そのため天板１６は矢印５ａで示すように水平動可能に、また矢印５ｂで示すように上下動可能に検診台５により保持されており、Ｃアーム３は例えば天井から懸垂されたアーム保持部（図示しない）により、Ｘ線管１およびＸ線受光部２が矢印３ｃで示すように被検者４の体軸周りに回転可能に、さらに矢印３ｂで示すように体軸を含む面上を回転可能に保持され、さらにアーム保持部は天井に取り付けられたレール（図示しない）等により、Ｃアーム３とともに矢印３ａで示すように水平動可能に保持されている。
【実施例】
【０００９】
図１は図２に示す操作部１８について本発明に関係ある部分を示す図である。ここで操作部１８の筐体１３には、図３に示す、例えばマイクロコンピュータやメモリ等により構成される制御部２４が内蔵されており、メモリスイッチ２０を構成する複数個のスイッチのそれぞれに対応してＣアーム３を配置する位置情報が記憶されている。なお図３はＸ線透視撮影装置の本発明に関係する部分を説明するためのブロック図であり、図４はその動作を示すフローチャートである。以下図１から図４を用いて本発明によるＸ線透視撮影装置の動作について説明する。
【００１０】
術者１５はＣアーム３を撮影に適した位置および角度に配置するために、メモリスイッチ２０を構成する複数個のスイッチの中から希望する位置情報に対応するスイッチを選択指定する。これにより制御部２４に記憶された位置情報のうち希望するものが選ばれる（Ｓ１）。その後筐体１３に取り付けられたグリップ１１の上面に設けられたメモリ実行スイッチ２３が押されると（Ｓ２）、制御部２４はＣアーム駆動部２５にＣアーム３が所望の位置および角度になるように移動および回転を行うよう指示する（Ｓ３）。
【００１１】
またグリップ１１は筐体１３に遠い側を矢印Ａで示すように上げ下げ可能に筐体１３に取り付けられており、術者１５がグリップ１１の上面に設けられたメモリ実行スイッチ２３を押した状態でグリップ１１を上げ下げすると、制御部２４は天板駆動部２６に天板１６の上下動を指示する。すなわち制御部２４はメモリ実行スイッチ２３が押されている場合（Ｓ２）Ｃアーム３の移動を開始する（Ｓ３）とともに、グリップ１１の位置を確認し（Ｓ４）、グリップ１１が中立位置より上に持ち上げられていると天板１６を上昇させ（Ｓ５）、下に押し下げられていると下降させ（Ｓ７）、中立位置に置かれていると停止させる（Ｓ６）が、メモリ実行スイッチ２３が押されていないときグリップ１１を上げ下げしても上下動は行われない（Ｓ２）。そして術者１５がメモリ実行スイッチ２３を押すのをやめると（Ｓ８）、Ｃアーム３および天板１６が動作中か否かに関係なく、制御部２４はＣアーム駆動部２５および天板駆動部２６にそれぞれＣアーム３および天板１６の動作の停止を指示して（Ｓ９）動作を終了する。
【００１２】
上記のような構成によりメモリスイッチ２０のうち適当なスイッチを指定した後、メモリ実行スイッチ２３を押しながらグリップ１１を上げ下げすることにより、Ｃアーム３と天板１６を同時に動かすことが可能になるので、術者１５はメモリ実行スイッチ２３を押した状態でグリップ１１を上げ下げして天板１６の上下動を行い、天板１６の上下動およびＣアーム３の動作が終了した後、メモリ実行スイッチ２３を押すのをやめる。これにより撮影位置決めに要する時間が短縮され、検査を迅速に行うことができるようになる。
【産業上の利用可能性】
【００１３】
本発明はＸ線透視撮影装置に関する。
【図面の簡単な説明】
【００１４】
【図１】本発明の実施例を説明するための図である。
【図２】血管造影検査を行う様子を説明するための図である。
【図３】Ｘ線透視撮影装置の本発明に関係する部分を説明するためのブロック図である。
【図４】Ｘ線透視撮影装置の本発明に関係する部分の動作を示すフローチャートである。
【図５】従来の操作部を説明するための図である。
【符号の説明】
【００１５】
１：Ｘ線管
２：Ｘ線受光部
３：Ｃアーム
４：被検者
５：検診台
１１：グリップ
１３：筐体
１５：術者
１６：天板
１７：操作部
１８：操作部
２０：メモリスイッチ
２１：メモリ実行スイッチ
２２：天板上下動許可スイッチ
２３：メモリ実行スイッチ
２４：制御部
２５：Ｃアーム駆動部
２６：天板駆動部
【図１】
0004858715.tif 000002
【図２】
0004858715.tif 000003
【図３】
0004858715.tif 000004
【図４】
0004858715.tif 000005
【図５】
0004858715.tif 000006